(57)【要約】【課題】撮像した画像に対して、所望する文字情報の付加や文字情報の編集を確実に行い得るようにする。【解決手段】カメラ１００には、撮像した静止画像に対して撮像場所や撮像状況などの関連文字情報を、十字釦８Ｇを用いて仮名文字で入力及び記憶させておくことが出来、記憶された静止画像及び関連文字情報はクレードル２００に送られる。クレードル２００では送られてきた静止画像の編集や仮名文字を漢字文字に変換する処理を行い、処理結果をカメラ１００に返送するので、カメラ１００では仮名漢字変換機能を備えていなくとも漢字交じりの関連情報が付加された静止画像を得ることが出来る。【選択図】      図１
2007274270.tif 000002
【特許請求の範囲】
【請求項１】
被写体を撮像して得られた画像情報及びこの画像情報に関連する文字情報を記憶した撮像装置と電気的接続され前記撮像装置との間で画像情報及び文字情報を授受する為の入出力用コネクタ部と、前記撮像装置に充電用の電源を供給する手段もしくは前記撮像装置の前記画像情報及び前記文字情報を外部機器に転送する転送手段を備えたクレードルにおいて、
前記入出力用コネクタ部を介して送られてきた前記撮像装置の前記画像情報及び前記文字情報のうち仮名文字情報を変換辞書を用いて漢字文字情報に変換する仮名漢字変換手段と、この仮名漢字変換手段によって変換された漢字文字情報を前記入出力用コネクタ部を介して前記撮像装置に送信する送信手段とを備えたことを特徴とするクレードル。
【請求項２】
被写体を撮像して得られた画像情報及びこの画像情報に関連する文字情報を記憶した撮像装置と、この撮像装置に充電用の電源を供給する手段もしくは前記撮像装置の前記画像情報及び前記文字情報を外部機器に転送する転送手段とを備えたクレードルとからなるクレードルシステムであって、
前記クレードルは、前記撮像装置との間で画像情報及び文字情報を授受する為の入出力用コネクタ部と、この入出力用コネクタ部を介して送られてきた前記撮像装置の前記画像情報及び前記文字情報のうち仮名文字情報を変換辞書を用いて漢字文字情報に変換する仮名漢字変換手段と、この仮名漢字変換手段によって変換された漢字文字情報を前記入出力用コネクタ部を介して前記撮像装置に送信する送信手段とを備えたことを特徴とするクレードルシステム。
【請求項３】
更に、前記撮像装置は前記画像情報及び前記文字情報を表示する表示手段を備えており、前記クレードルは、更に、前記仮名漢字変換手段による変換がなされている際の文字情報を前記撮像装置に送信する文字情報送信手段を備えており、前記仮名漢字変換手段による変換中の文字情報が前記撮像装置の前記表示手段に表示されることを特徴とする請求項３に記載のクレードルシステム。
【請求項４】
コンピュータを、
入出力用コネクタ部を介して送られてきた撮像装置の画像情報及び文字情報のうち仮名文字情報を変換辞書を用いて漢字文字情報に変換する仮名漢字変換手段、
この仮名漢字変換手段によって変換された漢字文字情報を前記入出力用コネクタ部を介して前記撮像装置に送信する送信手段、
として機能させるためのプログラム。
【発明の詳細な説明】
【技術分野】
【０００１】
この発明は、カメラなどの撮像装置に充電電圧を供給する或いは撮像装置の画像情報を他の外部機器に転送するクレードル、クレードルシステム及びプログラムに関する。
【背景技術】
【０００２】
従来、カメラなどの撮像装置は、撮影した画像情報に対応させて撮影日時や画像サイズ、撮影条件などが自動的に記憶される様になっている。また、ユーザが撮影場所などの任意の情報を画像情報に対応させて記憶させる様にすることも考えられており、その為、カメラ自体に文字情報を入力するキーボードを備えさせることが考えられている（特許文献１参照）。
【０００３】
カメラ自体がキーボードなどの文字入力手段を備えていない場合、撮影した画像情報をパソコンなどに送り専用の画像編集ソフトを使って画像編集及びタイトル文字等の入力を行わせることも一般的に行われているが、パソコンではなく、カメラに充電電圧を供給したりカメラの画像情報を他の電子機器に転送したりするための、所謂クレードルに文字入力や画像編集の機能を持たせたりすることも考えられている。
【０００４】
即ち、カメラから画像情報を受け取り、画像情報に各種編集処理を施すと共に、タイトル画像などを挿入した後、印刷装置に送って画像印刷を行わせるクレードル（特許文献２参照）や、同じく、カメラから画像情報を受け取り、画像情報のフォーマットを変換するなどの画像処理を行って、パソコンなどに転送させるクレードル（特許文献３、図２６及び２７）が知られている。
【０００５】
しかしながら、これらのクレードルは、カメラからの画像情報を他の外部機器（印刷装置やパソコン等）に転送する際に、画像編集を行ったりタイトル文字を付加したりするものであり、カメラが記憶保持している画像情報を編集したり文字情報を付加したりしてそのままカメラ内部に記憶保持させるものではなかった。
【０００６】
そこで、クレードルに文字入力キーボードと漢字変換機能とを備えて漢字文字を含む文字データを作成し、作成された文字データをカメラに送る様にしてカメラ自体に文字入力用のキーボードを備えなくてもよい様にした技術も考えられている（特許文献４参照）。
【特許文献１】特開２００３−００９０６７号公報
【特許文献２】特開２００３−１６９２４３号公報
【特許文献３】特開２００５−０８００５１号公報
【特許文献４】特開２００４−２０１２２７号公報
【発明の開示】
【発明が解決しようとする課題】
【０００７】
特許文献４の技術においては、カメラ自体に文字入力用のキーボードを備えなくてもよいのでカメラの小型化が図れる。しかしながら、このようなシステムでは、野外で撮影した画像に関して、その撮影場所やコメントなどの文字情報を入力するに、クレードルも一緒に携帯しなければならず極めて不都合なものであった。また、クレードルを携帯せず家などに帰った時に入力しようとすると、撮影枚数が多い場合には撮影場所や入力しようとしていたコメントなどを忘れてしまったりする欠点があった。
【０００８】
この発明の課題は、撮影した画像に対して、所望する文字情報の付加や文字情報の編集を確実に行い得るクレードル、クレードルシステム及びプログラムを提供することにある。
【課題を解決するための手段】
【０００９】
請求項１記載の発明によるクレードルは、被写体を撮像して得られた画像情報及びこの画像情報に関連する文字情報を記憶した撮像装置と電気的接続され前記撮像装置との間で画像情報及び文字情報を授受する為の入出力用コネクタ部と、前記撮像装置に充電用の電源を供給する手段もしくは前記撮像装置の前記画像情報及び前記文字情報を外部機器に転送する転送手段を備えたクレードルにおいて、前記入出力用コネクタ部を介して送られてきた前記撮像装置の前記画像情報及び前記文字情報のうち仮名文字情報を変換辞書を用いて漢字文字情報に変換する仮名漢字変換手段と、この仮名漢字変換手段によって変換された漢字文字情報を前記入出力用コネクタ部を介して前記撮像装置に送信する送信手段とを備えたことを特徴とする。
【００１０】
また、請求項２記載の発明によるクレードルシステムは、被写体を撮像して得られた画像情報及びこの画像情報に関連する文字情報を記憶した撮像装置と、この撮像装置に充電用の電源を供給する手段もしくは前記撮像装置の前記画像情報及び前記文字情報を外部機器に転送する転送手段とを備えたクレードルとからなるクレードルシステムであって、前記クレードルは、前記撮像装置が装着される撮像装置装着部と、この撮像装置装着部に装着された前記撮像装置との間で画像情報及び文字情報を授受する為の入出力用コネクタと、この入出力用コネクタ部を介して送られてきた前記撮像装置の前記画像情報及び前記文字情報のうち仮名文字情報を変換辞書を用いて漢字文字情報に変換する仮名漢字変換手段と、この仮名漢字変換手段によって変換された漢字文字情報を前記入出力用コネクタ部を介して前記撮像装置に送信する送信手段とを備えたことを特徴とする。
【発明の効果】
【００１１】
本発明によるクレードル及びクレードルシステムによれば、クレードルは入出力用コネクタ部を介して撮像装置から送られてきた仮名文字情報を変換辞書を用いて漢字文字情報に変換して撮像装置に返す様にしているので、撮像装置は、撮像時には画像情報に対応させて仮名文字で名称或いは文章を設定しておくだけで、その後、クレードルとの接続によって設定した仮名文字を変換辞書を用いて漢字文字或いは漢字文字交じりの文章にして記憶させておくことが出来、撮像装置には文字入力キーからなるキーボードや仮名漢字変換回路などを備える必要がなく小型化を図ることが出来るものである。
【発明を実施するための最良の形態】
【００１２】
以下、図面を参照して本発明の一実施例を説明する。この実施例は、撮像装置として小型で携帯可能なデジタルスチルカメラ装置１００（以下、カメラ１００と略称する。）を用いたもので、図１は、カメラ１００をクレードル２００に載置して電気的接続させた際の外観斜視図であり、図２は、図１の状態におけるカメラ１００とクレードル２００の回路ブロック図である。
【００１３】
図２において、カメラ１００の制御部１は、図示していないＣＰＵ、ＲＯＭ（リード・オンリ・メモリ）等から構成され、カメラ全体の動作を制御するための各種プログラムや各種データを内部に備えている。この制御部１には、バスライン２を介して以下に述べる各部が接続されている。
【００１４】
撮像部３は、外部被写体を撮像して被写体画像を得るもので、図３は、この撮像部３の詳細な構成を示したものである。光学系（撮影レンズ）１１を介して入射される光束の開口量は絞り機構１２によって調整され、被写体像がＣＣＤ等の撮像素子１３上に結像される。合焦のために撮影レンズ１１は光学系駆動部１４によって光軸に沿って移動されると共に、適切な露出となるように絞り機構１２の開口量も光学系駆動部１４によって制御される。
【００１５】
計測部１５は、図示しない測距センサや受光センサ及びホワイトバランス制御のための色センサなどを備えており、この計測部１５で検出された検出値はバスライン２を介して制御部１に送られる。制御部１は、予め設定されている撮影条件に基づき、送られてきた検出値から撮影レンズ１１の移動量や絞り機構１２の開口量を演算し、演算結果に基づいた駆動信号が光学系駆動部１４に送られることによって、光学系駆動部１４が撮影レンズ１１の移動や絞り機構１２の開口量を調整する。
【００１６】
撮像素子１３に被写体像が結像されることにより撮像素子１３には入射光量に応じた電荷が蓄積され、蓄積された電荷は読み出し駆動回路１６から与えられる駆動パルス信号によって順次読み出されてアナログ処理回路１７に送られる。アナログ処理回路１７では、色分離やゲイン調整、ホワイトバランスなどの各種処理が行われ、処理された信号はＡ／Ｄ変換回路１８を介してデジタルの画像情報としてバッファレジスタからなるバッファ回路１９に記録される。バッファ回路１９に記録された１枚分の画像情報は、バスライン２を介して図２で示した記憶部４のワークエリア４Ｃに一時記録された後、バスライン２を介して信号処理回路２０に送られ輝度信号及び色差信号に変換されるとともに、圧縮伸長回路２１によってＪＰＥＧ規格に準じて圧縮された後、ファイル化されて図１に示した記録部５に記憶される。尚、記録部５については詳細を後述する。
【００１７】
図２に戻り、記憶部４は、カメラの内部に固定的に設けられ、通常状態では取り出すことができない内部メモリである。この記憶部４は、読み出し及び書き込みが可能な揮発性のメモリであるＲＡＭ（ランダム・アクセス・メモリ）、或いは不揮発性のメモリである、例えばフラッシュメモリ等から構成されている。
【００１８】
図４は、この記憶部４の詳細な構成図を示すもので、モード値記録領域４Ａには、カメラの基本動作モードを示すモード値Ｍが記録される。モード値Ｍは、その値が「０」（以下、Ｍ＝０の様に示す。）の時、後述するシャッタ釦８Ａの操作によって外部被写体を撮影して静止画像を前記記録部５に記録させる撮影モードであり、Ｍ＝１の時は、詳細を後述するが撮影した被写体画像に対して編集を行う編集モードである。
【００１９】
また、Ｍ＝２の時は、記録部５に記録された画像を表示部７に再生表示させる再生モード、Ｍ＝３の時は、記録された画像を選択的に消去する消去モードである。
【００２０】
更に、モード値ＭがＭ＝４の時は記録部５に記録された画像を外部の電子機器、例えば他のデジタルカメラや印刷装置などに転送する転送モードである。
【００２１】
記憶部４の撮影条件記憶領域４Ｂは、上記撮像部３による撮像時の撮影条件、例えばシャッタースピードやホワイトバランス値などの条件を記憶する領域であり、ワークエリア４Ｃは、撮影した画像情報の一時記録や編集時の画像の一時記憶、或いは各種処理に使用される記録領域、送信ファイル記憶部４Ｄはクレードル２００に転送するファイルの記憶位置情報を記憶しておく領域である。
【００２２】
図２に戻り、記録部５は、撮像部３で撮像された多数の画像情報をファイル形式で記憶するものであり、不揮発性のフラッシュメモリ或いは着脱可能な不揮発性のメモリカード等から構成される。図５は記録部５に記録されるファイルの詳細を示すもので、ヘッダ領域５０にはファイル名や、画素数、シャッタースピードなどの撮影条件等が記録され、画像記録領域５１には撮像された静止画像が記録され、メッセージ記憶領域５２には、画像記録領域５１に記録された静止画像に関連するメッセージが記録される。
図６は、記録部５に記録された多数のファイルを管理する管理メモリ５３であり、記録部５に設けられている。しかして、この管理メモリ５３は、記録されたファイルの通し番号を記録する通し番号記録領域５４、ファイル名を記録するファイル名記憶領域５５及びファイル名記憶領域５５に記憶されたファイル名にそれぞれ対応して設けられそれぞれのファイルが記録部５のいずれのアドレスに記録されているかのアドレス情報を記録するアドレス記憶領域５６とから構成される。
【００２３】
図２に戻り、キャラクタジェネレータ６は、仮名文字や数値文字、アルファベットや漢字等を表示部７に表示させる為の表示パターンデータを発生する回路である。後述する如く、このカメラ１００は仮名文字を漢字文字に変換する仮名漢字変換回路は備えていないが、クレードル２００より漢字データを受信して記憶し表示部７に表示できる様に構成されているもので、その為にキャラクタジェネレータ６は漢字文字の表示パターンデータも発生する様に構成されている。
【００２４】
表示部７は、例えばカラー液晶表示装置などから構成され、撮影時、再生時の画像や各種設定情報、各種動作のガイダンス情報などが表示されるものである。
【００２５】
通信制御部９は、外部の電子機器、例えば他のカメラや印刷装置、パーソナルコンピュータ等と直接接続され、モード値ＭがＭ＝４の転送モードの時、静止画情報やそれに付随する文字情報等の送受信を制御するものである。なお、外部の電子機器との接続は、ケーブルなどによる有線で行ってもよく、或いは赤外線や無線などのワイヤレス接続で行っても良い。
【００２６】
入力部８は、撮像用のシャッタ釦８Ａと、図２のモード値記録領域４Ａに記録されているモード値Ｍを操作毎に順次切り替えるモード切替釦８Ｂと、仮名文字入力の開始釦８Ｃと、仮名文字入力の終了（確定）釦８Ｄと、撮影条件の設定や撮影し且つ記録した静止画像の再生や消去、外部との通信及び編集などを行うための複数の制御用操作釦１８Ｅ、・・・を備えている。また、文字の選択や他の各種の選択を行うために上下左右方向の押圧操作でそれぞれの方向への移動スイッチ入力がなされる十字釦８Ｇも備えられている。
【００２７】
時計回路部１０は、基準周波数信号を計数して年、日付、時分秒からなる現在時刻を計時する回路であり、撮像部３を用いて外部被写体を撮像しファイル化された際には、その時に時計回路部１０で計時されている現在時刻情報がファイル名となって記録部５に記録される様に構成されている。
【００２８】
送受信回路３０は、バスライン２を介して送られてくる画像情報及び文字情報をカメラ側コネクタ部３１を介してクレードル２００に送信したり、クレードル２００から送られてくる画像情報及び文字情報をバスライン２に供給したりする回路である。
カメラ側コネクタ部３１は、カメラ１００の下面に図示しない多数の端子が設けられており、図１の如くカメラ１００をクレードル２００に載置した際に、クレードル２００の上面のカメラ載置部に設けられているクレードル側コネクタ３２の図示しない多数の端子と電気的接続する様に構成されている。
【００２９】
このカメラ側コネクタ部３１からは、上述した如く送受信回路３０によって授受される情報以外に、カメラ１００がクレードル２００に載置されたことの検出信号Ｆがバスライン２を介して制御部１に送られる様になっている。即ち、クレードル側コネクタ３２の複数の端子のうち、所定の端子には予め定められた電圧が出力されており、この電圧がカメラ側コネクタ部３１の端子を介してバスライン２に供給され、カメラ１００がクレードル２００に載置されたことが検出されるものである。
【００３０】
また、カメラ側コネクタ部３１には、クレードル２００の電源回路３３からの充電電圧がクレードル側コネクタ３２を介して供給され、この充電電圧は充電回路３４に供給され、充電回路３４は供給される充電電圧を充電可能な電池３５に供給して充電を行わせる。そして電池３５の電池電圧はカメラ１００の各部に動作電源として供給されるようになっている。
【００３１】
クレードル２００の上記電源回路３３には、商用（ＡＣ）電源からの交流電圧が供給され、電源回路３３は、供給される交流電圧を直流電源に変換し、この直流電圧をクレードル２００内部の後述する各部の動作電源として供給すると共に、上述した如く、クレードル側コネクタ３２を介してカメラ１００にも充電電圧として供給する。
また、クレードル２００には、制御部４０が設けられており、バスライン４１を介して送受信回路４２、入力部４３、通信制御部４４、記憶部４５及び仮名漢字変換回路４６と接続されている。この仮名漢字変換回路４６には仮名文字を漢字に変換するため、仮名文字情報と漢字情報とを対応付けて記憶する仮名漢字変換辞書が設けられている。
【００３２】
送受信回路４２は、クレードル側コネクタ３２を介してカメラ１００から送られてくる画像情報及び文字情報をバスライン４１に送出し、また、バスライン４１を介して送られてくる画像情報及び文字情報をカメラ１００に送信する回路である。
【００３３】
入力部４３は、図１に示す様に多数の操作釦を備えたキーボードであり、多数の文字入力釦、画像修正などの各種ファンクション（機能）釦以外に、文字選択の為の４個のカーソル移動釦４３Ａ、修正機能の選択釦４３Ｂ、仮名漢字変換の実行釦４３Ｃ、処理の終了時に操作される確定釦４３Ｄ等を備えている。
【００３４】
通信制御部４４は、クレードル側コネクタ３２を介してカメラ１００から送られてくる画像情報及び文字情報を外部機器であるパーソナルコンピュータ等に送信し、また、外部機器から送られてくる画像情報及び文字情報を、カメラ１００に送信するためにバスライン４１に送出する回路である。
【００３５】
記憶部４５は、カメラ１００から送られてくる画像情報及び文字情報を記憶するもので、読み出し及び書き込みが可能な揮発性のメモリであるＲＡＭ（ランダム・アクセス・メモリ）、或いは不揮発性のメモリである、例えばフラッシュメモリ等から構成されている。
仮名漢字変換回路４６は、仮名文字を漢字文字或いは漢字交じり文字に変換する回路である。
【００３６】
次に上述の如く構成されたクレードル及びクレードルシステムの動作を図７乃至図９の動作フローチャートを用いて説明する。
【００３７】
図７は、制御部１によって処理されるカメラ１００のジェネラルフローチャートであり、まず電源投入がなされると、ステップＳ１では、各部の初期設定が行われ、次のステップＳ２では、動作モードがＭ＝０の撮影モードか否かが判断される。
【００３８】
撮影モードであった場合にはステップＳ３に進み、シャッタ釦８Ａが操作されたか否かが判断され、シャッタ釦８Ａの操作が検出された場合にはステップＳ４で撮像部３による外部被写体の撮像がなされ、次のステップＳ５で、撮像された画像をファイル化して記録部５に記憶しステップＳ２に戻る。
【００３９】
一方、ステップＳ３でシャッタ釦８Ａの操作が検出されなかった場合にはステップＳ６に進み、モード切替釦８Ｂの操作がなされたか否かが判断され、操作が検出されなかった場合にはステップＳ２に戻るが、モード切替釦８Ｂの操作が検出された場合にはステップＳ７に進んでモードの切り換えを行う。即ち、モード値記録領域４Ａのモード値ＭをＭ＝１の編集モードに設定する。
【００４０】
上記ステップＳ３乃至Ｓ５で被写体の撮像がなされてステップＳ２に戻り、次にステップＳ３乃至Ｓ７によって編集モードが設定されてステップＳ２に戻った場合、今度はステップＳ２では、撮影モードではないことが検出されるのでステップＳ１０に進み編集モードか否かが判断される。
【００４１】
この時点では編集モードなのでステップＳ１１に進み、このステップＳ１１ではクレードル２００と電気的接続がなされているか否かを、カメラ側コネクタ部３１から検出信号Ｆが出力されているか否かによって判断する。
【００４２】
検出信号Ｆが出力されていることが検出された場合には、カメラ１００がクレードル２００に載置されている場合で有り、ステップＳ１２に進んでクレードル２００との協働によるクレードル編集処理（詳細は後述する）がなされるが、検出信号Ｆが出力されていない場合にはステップＳ１３に進んでカメラ１００単独での編集処理がなされる。
【００４３】
図８は、上記ステップＳ１３の詳細なフローチャートを示したもので、ステップＳ２０は記憶部５に記憶されている各ファイルの画像を順次表示部７に切換表示させるための画像送り釦が操作されたか否かを判断するもので、この場合、十字釦８Ｇが画像送り釦として使用される。
【００４４】
画像送り釦（十字釦８Ｇ）が操作されたことが検出されると、次のステップＳ２１では、次のファイルの画像を表示部７に表示させる。
【００４５】
ステップＳ２０で画像送り釦の操作でない場合にはステップＳ２２に進み、文字入力開始のための釦、即ち、開始釦８Ｃが操作されたか否かが判断され、開始釦８Ｃが操作された場合にはステップＳ２３に進んで文字入力処理がなされる。
【００４６】
この文字入力処理は、ステップＳ２１で表示された画像が記憶されているファイルのメッセージ記憶領域５２（図５参照）に仮名文字を入力するもので、最初はカーソルと共に「あ」の文字が表示され、十字釦８Ｇの上操作毎に「あ」「か」「さ」・・・と「あ」段が順次切り換えられ、十字釦８Ｇの下操作毎に表示されている行の「い」段、「う」段・・・が順次切り換えられることによって所望の仮名文字が入力されるものである。
そして、所望の文字入力がなされた後は、十字釦８Ｇの横方向操作でカーソルが次の桁に移動すると共に「あ」が表示され、上記と同様にして次の所望の文字を入力するものである。このようにして、画像記憶領域５１に対応するメッセージ記憶領域５２に、画像記憶領域５１に記憶された画像に関連するメッセージ、例えば場所や、撮影状況などに関するメッセージが仮名文字で記憶される。
【００４７】
このようにして、所望のメッセージが記憶された後は、図示していないが終了釦８Ｄの操作によってステップＳ２３を終える。
【００４８】
上記ステップＳ２２で、文字入力のための開始釦８Ｃの操作でないことが検出された場合には、ステップＳ２４に進み、画像の編集など他の編集処理がなされる。
【００４９】
図９は、図７のステップＳ１２のクレードル編集処理の詳細なフローチャートである。このクレードル編集処理は、記録部５に記憶されたファイルの画像記憶領域５１の画像情報及び上記メッセージ記憶領域５２に記憶された仮名文字をクレードル２００に送り、クレードル２００において画像編集や仮名漢字変換した後、カメラ１００に戻す処理であり、カメラ１００とクレードル２００とが協働して処理がなされるものなので、図９の波線左側にはカメラ１００の処理、右側にはクレードル２００の処理を記載してある。
【００５０】
まず、ステップＳ３０では、仮名漢字変換させるファイルを選択し、そのファイルの画像情報及び仮名文字情報を記憶部４のワークエリア４Ｃに記憶させると共に表示部７に表示させ、更に、選択されたファイルをクレードル２００に送る。次にステップＳ３１では、その選択されたファイルの通し番号、ファイル名もしくはそのファイルが記憶されているアドレス情報など選択されたファイルの記憶位置情報を、図６の管理メモリ５３から読み出して記憶部４の送信ファイル記憶領域４Ｄに記憶させる。
【００５１】
一方、クレードル２００では、最初のステップＳ４０では、送られてきたファイルを記憶部４５に記憶させ、次のステップＳ４１で、文字を編集するのか或いは画像を編集するのかの選択釦４３Ｂを操作する。
【００５２】
次のステップＳ４２では、文字編集及び画像編集のいずれが選択されたかを判断し、文字編集が選択された場合にはステップＳ４３に進んで、記憶部４５に記憶されたファイルの仮名文字のうち仮名漢字変換させる仮名文字をカーソル移動釦４３Ａを用いて選択する。次のステップＳ４４では、実行釦４３Ｃの操作によって仮名漢字変換回路４６を動作させ選択された仮名文字を仮名漢字変換辞書を用いて仮名漢字変換を行って漢字もしくは漢字交じり仮名文字に変換する。
次のステップＳ４５では、全ての処理が完了した際に操作される確定釦４３Ｄが操作されたか否かを判断し、確定釦４３Ｄが操作されていない場合には、まだ仮名漢字変換する仮名文字が残っているものとしてステップＳ４３、Ｓ４４に戻り、仮名漢字変換の処理を継続して行わせる。
【００５３】
このようにして、全ての仮名漢字変換処理が終了した際は確定釦４３Ｄを操作すると、その操作がステップＳ４５で検出され、次のステップＳ４６で確定を示すコード信号と共に仮名漢字変換された文字情報及び画像情報をカメラ１００に送ると共に処理を終了する。
尚、上記ステップＳ４３における仮名文字の選択状態（例えば、選択された文字をカーソルで明示する）及び仮名漢字変換された結果データは、その都度カメラ１００に送られている。カメラ１００では、ステップＳ３２でクレードル２００からの受信を常に検出しており、クレードル２００から受信があった場合には、ステップＳ３３で受信データの中に確定コードがあるか否かを検出し、確定コードが含まれていない場合にはステップＳ３４でワークエリア４Ｃに記憶されている仮名文字に対して、選択された文字の明示や変換された漢字への置き換えを実行する。
【００５４】
これによって、表示部７には、クレードル２００での処理に応じた表示がなされることになり、クレードルに表示装置を設けなくとも、カメラ１００の表示部７の表示を見ながら仮名漢字変換処理が成し得るものである。
【００５５】
しかして、ステップＳ３３で確定コードが検出された際には、ステップＳ３５に進んで、ステップＳ４６によってクレードル２００から送られてきた文字情報及び画像情報をファイル化して記憶部４の送信ファイル記憶領域４Ｄに記憶された位置情報で指定されている位置に再記録させるものである。
【００５６】
ステップＳ３５の処理の後はステップＳ３６に進み、モード切替釦８Ｂの操作がなされたか否かを判断し、モード切替釦８Ｂの操作がなされていない場合にはステップＳ３０に戻る。またモード切替釦８Ｂの操作がなされた場合には、モード切替を行ってＭ＝２の再生モードを設定する。
【００５７】
尚、クレードル２００のステップＳ４２の処理において、画像編集が選択された場合にはステップＳ４７に進み、各種画像編集を行った後、ステップＳ４８で確定釦４３Ｄの操作がなされたか否かを判断し、操作がなされた場合にはステップＳ４９で編集された画像及び文字情報をカメラ１００に送信して処理を終える。
【００５８】
カメラ側の上記ステップＳ３７において、編集モードから再生モードにモード変換された場合、図２のフローチャートにおいては、ステップＳ２及びＳ１０からステップＳ１４に進む。
【００５９】
ステップＳ１４では、詳細は示していないが、再生モードにおいては、十字釦８Ｇの操作がなされる毎に、記録部５に記録された各ファイルの画像情報及びメッセージ情報が順次表示部７に切換表示される。上述した如く、メッセージ情報はクレードル２００によって漢字或いは漢字混じり仮名文字に変換されているので、この変換された文字情報を表示させることが出来るものである。
【００６０】
このように、上記実施例では、カメラ自体に仮名漢字変換機能を備えていなくても、クレードルによって漢字変換でき、漢字変換された文字をカメラの表示部に表示できる。
なお、対象画像は動画像であってもよい。
【図面の簡単な説明】
【００６１】
【図１】本発明を適用したカメラ１００及びクレードル２００の外観斜視図。
【図２】図１のカメラ１００及びクレードル２００の回路構成図。
【図３】図２の撮像部３の詳細な回路構成図。
【図４】図２の記憶部４の詳細な構成図。
【図５】図２の記録部５に記憶されるファイルの構成図。
【図６】同じく記録部５に記憶される管理メモリの詳細な構成図。
【図７】図１のカメラ１００の動作フローチャート。
【図８】図７のステップＳ１３の詳細なフローチャート。
【図９】図７のステップＳ１２の詳細なフローチャート及び、そのステップＳ１２と対応するクレードル２００のフローチャート。
【符号の説明】
【００６２】
１  制御部
３  撮像部
４  記憶部
５  記録部
７  表示部
８Ａ  シャッタ釦
８Ｂ  モード切替釦
８Ｇ  十字釦
１３  撮像素子
１９  バッファ回路
３１  カメラ側コネクタ部
３２  クレードル側コネクタ部
３３  電源回路
４５  記憶部
４６  仮名漢字変換回路
【図１】
2007274270.tif 000003
【図２】
2007274270.tif 000004
【図３】
2007274270.tif 000005
【図４】
2007274270.tif 000006
【図５】
2007274270.tif 000007
【図６】
2007274270.tif 000008
【図７】
2007274270.tif 000009
【図８】
2007274270.tif 000010
【図９】
2007274270.tif 000011